(57)【特許請求の範囲】
【請求項１】
複数の棒状体（４）がコンクリート体（８）を介して連結される人工漁礁の製作方法であって、複数の棒状体（４）を交差させて複数段に段積みした後、上下に位置する前記棒状体（４）の交差部分に型枠（１）を装着し、更に該型枠（１）内にコンクリートを充填してコンクリート体（８）を形成した後、型枠（１）を前記棒状体（４）から離脱して人工漁礁を製作することを特徴とする人工漁礁の製作方法。
【請求項２】
前記棒状体（４）が撤去後のコンクリート製電柱又は撤去後のレール若しくは撤去後の下水管である請求項１記載の人工漁礁の製作方法。
【発明の詳細な説明】
【０００１】
【発明の属する技術分野】
本発明は、コンクリート体を介して複数の棒状体が固定される人工漁礁の製作方法に関する。
【０００２】
【従来の技術】
従来、この種の人工漁礁としては、例えば特開平8-140522号公報に所載の発明が存在する。
【０００３】
即ち、この従来のものは図６に示すように、複数本の金属製鋼管10を井桁状に段積みし、各鋼管10をボルト（図示せず）により連結したものである。
【０００４】
【発明が解決しようとする課題】
しかしながら、上記従来の人工漁礁は鋼管10の連結手段としてボルトを使用するものであるため、全体としての強度性に欠けるという難点を有し、また鋼管の穿孔や多数のボルトの締着等といったの一連の製作作業も煩雑であるという問題点があった。
【０００５】
一方、近年省資源や省エネルギー等の観点から、各種廃棄物の再利用が盛んに試みられてはいるが、例えば使用済のコンクリート製電柱等は撤去後に、破砕して産業廃棄物として処理されているのが実情であり、かかる一連の破棄処分には膨大な費用を要することも相俟って、撤去電柱等の再利用の要請が非常に強い。
【０００６】
それ故に、本発明はこのような状況に鑑みて上記従来の課題を解決するためになされたものであり、比較的簡易な手段により強度及び耐久性に優れた人工漁礁の製作を可能にならしめることを課題とする。
【０００７】
【課題を解決するための手段】
即ち、本発明が上記課題を解決するために採った手段は、複数の棒状体４がコンクリート体８を介して連結される人工漁礁の製作方法であって、複数の棒状体（４）を交差させて複数段に段積みした後、上下に位置する前記棒状体（４）の交差部分に型枠１を装着した後、該型枠１内にコンクリートを充填してコンクリート体８を形成し、その後型枠１を前記棒状体４から離脱して人工漁礁を製作する点にある。
【０００８】
また、本発明に係る型枠の特徴は、棒状体４を挿着可能な複数の孔３を有し且つコンクリートを充填すべく中空状に形成されてなり、しかも前記棒状体４から離脱可能に構成されてなる点にある。
【０００９】
従って、上記特定事項からなる型枠を使用する場合は、先ず複数の棒状体４を型枠１の孔３に挿着して支持した後、型枠１内にコンクリートを充填する。
【００１０】
そして、コンクリートの硬化後に型枠１を棒状体４から離脱すれば、型枠１により形成されたコンクリート体８を介して複数の棒状体４が連結された人工漁礁等を製作することができる。
【００１１】
【発明の実施の形態】
以下、本発明に係る型枠の一実施形態について図面に従って説明する。
【００１２】
図１に於いて、１は木又は金属からなる型枠を示し、断面略Ｌ字状の４個の分割体２を接合して中空四角柱形状に形成されており、その各側面の中心には長手方向に所定間隔を有して大孔3a及び小孔3bが交互に穿設されている。即ち、分割体２の接合部分に半円状の孔を設けて、これを接合した際に孔により前記大孔3a及び小孔3bが形成されるように構成している。
【００１３】
本実施形態に係る型枠１は以上のような構成からなり、次にこれを使用して例えば人工漁礁を製作する場合について説明する。
【００１４】
先ず、図２のように撤去後のコンクリート製電柱からなる複数の棒状体４を用意して、これを交差させて複数段に段積みする。
【００１５】
即ち、複数の棒状体４を所定間隔を有して略平行に配して第１段目を形成した後、その上に複数の棒状体４を90°交差させて略同間隔に配して第２段目を形成する。更に、その上に前記第１段目の各棒状体４と同様に複数の棒状体４を配して第３段目を形成する。このようにして、順次棒状体４を段積みしていくのである。
【００１６】
尚、棒状体４としてのコンクリート製電柱は両端部の外径が相違するため、全体のバランスを考慮して、例えば第３段目の棒状体４は第１段目の棒状体４とは逆向きに配している。
【００１７】
その後、上下に位置する棒状体４の所定の交差部分に図２(ロ) の如く鉄筋５を配筋して固定し、かかる鉄筋５を利用してその上端にフック６を固定する。
【００１８】
次に、配筋した棒状体４の交差部分に型枠１を装着するのであるが、この場合は型枠１を各分割体２に分割して、その孔3a,3b を各棒状体４に嵌合すればよく、これにより型枠１の孔3a,3b に棒状体４が挿着された状態で、前記交差部分の周囲が中空四角柱形状の型枠１で覆われることになり、その後型枠１の外側面にクランプ（図示せず）を取付けて中空四角柱形状を維持し、更に型枠１の底部に蓋体７を取付けて閉塞する。
【００１９】
次に、コンクリートを型枠１内に充填し、その硬化後に棒状体４から型枠１を離脱すれば、棒状体４の所定の交差部分が四角柱形状のコンクリート体８により連結された人工漁礁Ａが製作できる。
【００２０】
その後、鉄道等の線路に使用されていた撤去後のレール９を第１段目の棒状体４と第２段目の棒状体４間に跨設する。
【００２１】
而して、棒状体４への型枠１の装着、該型枠１へのコンクリートの充填、棒状体４からの型枠１の離脱という工程により人工漁礁を製作することができるために、一連の製作作業が簡易なものとなり且つ安価に行えるのである。
【００２２】
また、かかる人工漁礁Ａは、例えばコンクリート体７に設けたフック６を利用してクレーンにより海底等に設置されるが、その棒状体４とコンクリート体７とは強固に一体化されてなるため、搬送や設置作業に支障を与えるようなことはなく、また設置後に於いても優れた強度及び耐久性を有するので、波浪や潮流によって傾倒したり、移動したり、或いは破損することもなく、安定した状態で長期に亘って使用することができる。
【００２３】
更に、人工漁礁Ａにはレール９を設けてなるため、その鉄分の作用により集魚効果が向上することになり、よって良好な漁場空間を形成することができる。
【００２４】
また、棒状体４として撤去後の電柱を再利用しているので、安価で且つ資源の有効利用が図れる結果、環境行政の一助に大いに寄与し得るのである。
【００２５】
尚、上記実施形態に於いては、型枠１は中空四角柱形状に形成したが、その形状は棒状体４の配し方等に応じて例えば中空三角柱形状や円筒形状等に形成してもよく、具体的な形状は問わない。
【００２６】
また、上記実施形態では、型枠１の各側面に大孔3aと小孔3bとを交互に且つ所定間隔を有して穿設したが、かかる孔３の形状，大きさ及び配置等も連結すべき棒状体４の形状や配置等に応じて変更することが可能である。例えば、図３(イ) のように大孔3aと小孔3bとを傾斜状に配したり、同図(ロ) の如く大孔3aと小孔3bとを交互に連設したり、同図(ハ) のように同径の孔３を連設したり、或いは同図(ニ) のように同径の孔３を所定間隔を有して形成してもよく、同図(イ) の場合には例えば両方の孔3a,3b の中心を通る線で型枠１を分割可能とすればよい。
【００２７】
更に、本発明は上記実施形態の如き人工漁礁Ａ以外の構造物、例えば人工湧昇流発生装置や土留擁壁等を製作する場合にも適用可能である。図４(イ) は本発明を適用して製作した土留擁壁Ｂの一例を示すが、上部側のコンクリート体８を形成する際に同図(ロ) の如く底面に複数の孔３が連設され、該孔３の中心を通る線で分割可能な上面開口状の型枠１を使用する。即ち、傾斜状に並設した複数の棒状体４の上端部周面に型枠１の孔３が嵌合するように装着した後、型枠１内にコンクリートを充填してコンクリート８を形成するのである。かかるコンクリート体８を介して複数の棒状体４が連結されることになる。
【００２８】
また、型枠１は砂型で構成してもよいが、量産性を考慮した場合は上記実施形態の如き木型や金型で構成する方が好ましい。
【００２９】
更に、棒状体４は上記実施形態のコンクリート製電柱に限定されず、例えば撤去後のコンクリート製枕木若しくは撤去後のレール又は下水管等を使用してもよく、その他の中実又は中空状の棒状体４も適用可能である。尚、コンクリート製枕木用の型枠１の一実施形態を図５に示すが、対象とする棒状体４の断面形状に応じて孔３を形成すればよい。
【００３０】
【発明の効果】
叙上のように、本発明に係る人工漁礁の製作方法は、棒状体への型枠の装着、該型枠へのコンクリートの充填、棒状体からの型枠の離脱という工程により人工漁礁を製作することができるため、一連の製作作業が簡易なものとなり且つ安価に行えるという効果がある。
【００３１】
また、これにより製作された人工漁礁は、その棒状体とコンクリート体とが強固に一体化されるため、搬送や設置作業に支障を与えるようなことはなく、また設置後等に於いても優れた強度及び耐久性を有するので、波浪や潮流等の外力によって傾倒したり、移動したり、或いは破損することもなく、安定した状態で長期に亘って使用することができるという効果を奏する。
【００３２】
更に、本発明に係る型枠にあっては、上記人工漁礁の製作の便に大いに寄与し得るという効果がある。
【００３３】
また、棒状体として撤去後のコンクリート製電柱やレール等を使用すると、その再利用が図れるために、環境行政の一助に大いに寄与し得るという特有の効果を奏する。
【図面の簡単な説明】
【図１】本発明に係る一実施形態を示す人工漁礁用の型枠を示し、（イ）は正面図、（ロ)は平面図。
【図２】同人工漁礁用の型枠の使用状態を示し、（イ）は平面図、（ロ）は側面図。
【図３】（イ）乃至（ニ）は型枠の他実施形態を示す正面図。
【図４】他の実施形態を示し、（イ）は土留擁壁の側面図、（ロ）は型枠の平面図。
【図５】他の実施形態に係る型枠を示す正面図。
【図６】従来例を示す斜視図。
【図１】
0004004608.tif 000002
【図２】
0004004608.tif 000003
【図３】
0004004608.tif 000004
【図４】
0004004608.tif 000005
【図５】
0004004608.tif 000006
【図６】
0004004608.tif 000007